(57)【要約】【課題】  簡単な構成で、ナット収容穴にナットを容易に収容することができる雌ねじ部材の案内構造を提供すること。【解決手段】  水栓用ボックス１１の開口部には、カバー体が取付けられる。水栓用ボックス１１の四隅部には、六角ナット２３を収容するナット収容穴２４が六角柱状に形成されている。カバー体の四隅部には挿通孔が形成され、取付ボルトがその挿通孔に挿通され、水栓用ボックス１１のナット収容穴２４に収容された六角ナット２３に螺合され、カバー体が水栓用ボックス１１に固定される。水栓用ボックス１１には、六角ナット２３をナット収容穴２４に案内するガイド溝２７が形成されている。水栓用ボックス１１の鍔部１１４の周囲には、ガイド溝２７の延出方向に沿って延びる延長底壁部３２１及び延長側壁部３２２を有する補助組付台３２が配置されている。【選択図】  図６
2019007621.tif 000002
【特許請求の範囲】
【請求項１】
取付体に設けられた多角柱状の雌ねじ部材収容穴に雌ねじ部材を保持し、被取付体を雄ねじ部材により前記取付体の雌ねじ部材に螺合して被取付体を取付体に取付けるように構成するとともに、前記取付体には雌ねじ部材を雌ねじ部材収容穴に案内するガイド溝を形成し、前記取付体の周囲に、前記ガイド溝の延出方向に沿って延びる延長底壁部を有する補助組付台を配置した雌ねじ部材の案内構造。
【発明の詳細な説明】
【技術分野】
【０００１】
本発明は、例えば建物内部の壁面に取付けられ、洗濯機等の機器の給水管へ接続するための水栓が収容された水栓用ボックスに、枠状のカバー体を取付ボルトにより取付けるため、水栓用ボックスに設けられたナット収容穴に六角ナットを収容するための雌ねじ部材の案内構造に関する。
【背景技術】
【０００２】
取付体としての水栓用ボックスは建物内部における壁面の開口部に取付けられ、壁裏側に配置される一方、被取付体としての四角枠状のカバー体は壁表側に配置される。前記水栓用ボックスの四隅には六角ナットを収容するナット収容穴が設けられるとともに、カバー体の四隅には貫通孔が形成されている。そして、水栓用ボックスのナット収容穴に六角ナットを収容した状態で、ボルトを壁表側からカバー体の貫通孔に挿通し、水栓用ボックスの六角ナットに螺合することにより、カバー体が水栓用ボックスに固定されるようになっている。
【０００３】
この種の取付体が例えば特許文献１に開示されている。すなわち、この取付体は雌ねじ部を有する保持用部材とその保持用部材を収容する挿入穴とを備え、雄ねじ体の雄ねじ部が前記保持用部材の雌ねじ部に螺合されることにより、被取付体が取付体に固定されるようになっている。前記保持用部材は六角ナットであり、挿入穴は六角ナットと相似の穴形状を有している。
【先行技術文献】
【特許文献】
【０００４】
【特許文献１】特開２００５−２７３８３９号公報
【発明の概要】
【発明が解決しようとする課題】
【０００５】
前記特許文献１に記載されている従来構成の取付体においては、六角ナットを挿入穴に収容する場合、六角ナットを指で把持し、その六角形状と挿入穴の六角形状とを位置合せした後、六角ナットを挿入穴に挿入しなければならない。このとき、六角ナットの六角形状の周方向位置とナット収容穴の六角形状の周方向位置とが一致しないと、六角ナットを周方向に回して両六角形状の周方向位置を一致させた後、六角ナットを挿入穴に押し込む必要がある。
【０００６】
このため、挿入穴の寸法を六角ナットに対して少し大きく設定して六角ナットを挿入しやすくすると、ボルトを六角ナットに螺合して締付けたとき、六角ナットが空回りしてボルトの締付けができなくなるおそれがある。
【０００７】
加えて、取付体の挿入穴近傍に壁体、段差等の障害物が存在する場合には、六角ナットを把持する指が障害物に触れることから、挿入穴への六角ナットの挿入が一層面倒で、作業時間を要することになる。
【０００８】
そこで本発明の目的とするところは、簡単な構成で、ナット収容穴にナットを容易に収容することができる雌ねじ部材の案内構造を提供することにある。
【課題を解決するための手段】
【０００９】
上記の目的を達成するために、請求項１に係る発明の雌ねじ部材の案内構造は、取付体に設けられた多角柱状の雌ねじ部材収容穴に雌ねじ部材を保持し、被取付体を雄ねじ部材により前記取付体の雌ねじ部材に螺合して被取付体を取付体に取付けるように構成するとともに、前記取付体には雌ねじ部材を雌ねじ部材収容穴に案内するガイド溝を形成したことを特徴とする。
【００１０】
請求項２に記載の発明の雌ねじ部材の案内構造は、請求項１に係る発明において、前記取付体は有底筒状の水栓用ボックスであるとともに、被取付体は水栓用ボックスに取付けられる枠状のカバー体であり、水栓用ボックスに設けられるガイド溝は、その両側壁部が多角柱状に形成された雌ねじ部材収容穴としてのナット収容穴の多角形の平行な二辺の延長線に沿って形成され、雌ねじ部材としての六角ナットをナット収容穴に案内するように構成されている。
【００１１】
請求項３に記載の発明の雌ねじ部材の案内構造は、請求項２に係る発明において、前記水栓用ボックスは有底四角筒状に形成され、ナット収容穴はその四隅に設けられるとともに、カバー体は四角枠状に形成され、その四隅には雄ねじ部材としての取付ボルトを挿通する挿通孔が設けられ、前記水栓用ボックスのナット収容穴の一部の近傍には水栓用ボックスの壁体が立設されている。
【００１２】
請求項４に記載の発明の雌ねじ部材の案内構造は、請求項２又は請求項３に係る発明において、前記ガイド溝は、その両側壁部がナット収容穴からナット収容穴の多角形の平行な二辺の延長線に沿って延びる平行側壁部と、その平行側壁部から拡幅して延びる拡幅側壁部とにより構成されている。
【００１３】
請求項５に記載の発明の雌ねじ部材の案内構造は、請求項４に係る発明において、前記ガイド溝の拡幅側壁部は平面円弧状に形成されている。
請求項６に記載の発明の雌ねじ部材の案内構造は、請求項４又は請求項５に係る発明において、前記ガイド溝の両側壁部間の幅がナット収容穴の延長線間の幅よりも広く設定されるとともに、ガイド溝を形成する両側壁部の高さはナット収容穴を形成する周壁部の高さと同じに形成されている。
【発明の効果】
【００１４】
本発明の雌ねじ部材の案内構造によれば、簡単な構成で、ナット収容穴にナットを容易に収容することができるという効果を奏する。
【図面の簡単な説明】
【００１５】
【図１】実施形態における給水用コンセントを分解して示し、特に水栓用ボックスにカバー体を取付ける状態を示す分解斜視図。
【図２】水栓用ボックスを示す平面図。
【図３】（ａ）は図２の３ａ−３ａ線における断面図、（ｂ）は図２の３ｂ−３ｂ線における断面図及び（ｃ）は図２の３ｃ−３ｃ線における断面図。
【図４】（ａ）は水栓用ボックスの四隅に設けられたナット収容穴に六角ナットを収容する状態を示す分解斜視図、（ｂ）はナット収容穴とガイド溝を示す部分拡大平面図。
【図５】六角ナットの案内構造の作用を示す図であって、（ａ）は六角ナットを指で把持してナット収容穴に向ける状態を示す要部拡大平面図、（ｂ）は六角ナットの側面をガイド溝の円弧部に当てて回しながら挿入する状態を示す要部拡大平面図、（ｃ）は六角ナットの側面をガイド溝の平行側壁部に沿って挿入する状態を示す要部拡大平面図、（ｄ）は六角ナットをナット収容穴に収容した状態を示す要部拡大平面図。
【図６】本発明の別例を示す図であって、補助組付台を使用して六角ナットをナット収容穴に収容する状態を示す斜視図。
【図７】本発明のその他の別例を示す図であって、（ａ）はガイド溝の両側壁部を先端部ほど拡幅するテーパ状側壁部とした状態を示す要部平面図、（ｂ）はガイド溝の両側壁部を先端部ほど円弧状に拡幅する円弧状側壁部とした状態を示す要部平面図。
【図８】本発明のさらなる別例を示す図であって、（ａ）はガイド溝の側壁部を先端部ほど高くなる傾斜拡幅側壁部とした状態を示す要部断面図、（ｂ）はガイド溝の拡幅側壁部の部分を平行側壁部の部分より高い段差拡幅側壁部とした状態を示す要部断面図。
【発明を実施するための形態】
【００１６】
以下、本発明を具体化した実施形態を図１〜図５に従って詳細に説明する。
図１に示すように、有底四角筒状をなす取付体としての水栓用ボックス１１は、固定用ねじ１２で当木１３に固定され、壁１４の裏側に配置される。水栓用ボックス１１内に収容される止水栓１５は、その貫通孔１６に雄ねじ１７を貫通させ、水栓用ボックス１１の底壁１１２の挿入孔１１３に挿入された雌ねじ１８に螺合することにより、水栓用ボックス１１内に取付けられる。水栓用ボックス１１の一側壁（下壁）には鞘管固定筒１９が突設され、その鞘管固定筒１９に鞘管２０の端部が挿入されて連結され、鞘管２０内の給水管２１が止水栓１５に接続されるようになっている。
【００１７】
前記水栓用ボックス１１の前面（開口面）には、四角枠状をなす被取付体としてのカバー体２２が壁１４の表側から取付けられる。すなわち、図２及び図３（ａ）に示すように、水栓用ボックス１１のボックス本体１１１の開口部側の周囲には鍔部１１４が形成され、その鍔部１１４の四隅部には雌ねじ部材収容穴としてのナット収容穴２４が、雌ねじ部材の多角ナットとしての六角ナット（正六角ナット）２３の正六角形と相似する正六角柱状に形成されている。
【００１８】
一方、図１に示すように、カバー体２２の四隅部には挿通孔２５が形成され、各挿通孔２５に雄ねじ部材としての取付ボルト２６が挿通されるようになっている。そして、取付ボルト２６をカバー体２２の挿通孔２５に挿通し、水栓用ボックス１１のナット収容穴２４に収容された六角ナット２３に螺合することにより、カバー体２２を壁１４の表側から水栓用ボックス１１に固定する。
【００１９】
図４（ａ）、（ｂ）に示すように、前記ボックス本体１１１の鍔部１１４には六角ナット２３をナット収容穴２４に案内するガイド溝２７が形成されている。このガイド溝２７は、底壁部２７１とその両側端部に立設された両側壁部２７２とにより構成されている。図２に示すように、各ガイド溝２７はナット収容穴２４から鍔部１１４のコーナ部に向けて鍔部１１４の両側縁に対して４５°方向に延びている。
【００２０】
図４（ｂ）に示すように、このガイド溝２７は、その両側壁部２７２が正六角柱状に形成されたナット収容穴２４の正六角形の平行な二辺の延長線ｘに沿って延びる平行側壁部２７３と、その平行側壁部２７３からさらに延び、ナット収容穴２４から離れるほど拡幅するように平面円弧状に形成された拡幅側壁部２７４とにより形成されている。
【００２１】
図４（ａ）に示すように、前記水栓用ボックス１１のナット収容穴２４のボックス本体１１１側の近傍にはボックス本体１１１の壁体１１５が立ち上がるように形成されている。このため、図５（ａ）に示すように、六角ナット２３を指２８で把持し、ナット収容穴２４に収容する場合には指２８がボックス本体１１１の壁体１１５に触れ、六角ナット２３の収容作業に障害となる。
【００２２】
図２、図３（ｂ）及び図４（ｂ）に示すように、前記ガイド溝２７はその両側壁部２７２間の幅Ｄすなわち平行側壁部２７３間の幅Ｄがナット収容穴２４の延長線ｘ間の幅ｄよりも広く設定され、ガイド溝２７において六角ナット２３を案内しやすくなっている。
【００２３】
また、図３（ｃ）に示すように、ガイド溝２７を形成する両側壁部２７２の高さ、すなわち平行側壁部２７３の高さはナット収容穴２４を形成する周壁部すなわち鍔部１１４の高さと同じに形成され、ガイド溝２７で案内された六角ナット２３を、ナット収容穴２４の周壁部から外れることなく、ナット収容穴２４へ収容しやすくなっている。
【００２４】
図１に示すように、化粧カバー２９はその内面側の周囲に設けられた爪部２９１が前記カバー体２２に係合されることにより、カバー体２２に取付けられる。これらのカバー体２２及び化粧カバー２９にはそれぞれ第１開口部２２１及び第２開口部２９２が設けられ、ハンドル３０及びホース装着部３１が第１開口部２２１及び第２開口部２９２を介して止水栓１５に接続されるようになっている。そして、給水管２１から供給される水が止水栓１５及びホース装着部３１を介して洗濯機等の機器に供給される。
【００２５】
次に、上記のように構成された雌ねじ部材の案内構造について作用を説明する。
さて、図５（ａ）に示すように、水栓用ボックス１１の鍔部１１４に設けられたナット収容穴２４に六角ナット２３を収容する場合には、水栓用ボックス１１の開口部を下にした状態で（図４（ａ）に示す状態）、六角ナット２３を２本の指２８で把持し、六角ナット２３を水平状態に保持しながらガイド溝２７の底壁部２７１上で摺動させてナット収容穴２４に近づける。
【００２６】
続いて、図５（ｂ）に示すように、六角ナット２３の側面２３１をガイド溝２７の拡幅側壁部２７４に当て、その拡幅側壁部２７４に沿って六角ナット２３を図５（ｂ）の矢印に示す反時計方向に回すようにして挿入する。このとき、ガイド溝２７の拡幅側壁部２７４は平面円弧状に形成されていることから、六角ナット２３の側面２３１がガイド溝２７の拡幅側壁部２７４に係止された後、ガイド溝２７の平行側壁部２７３に向けて滑らかに案内される。
【００２７】
次いで、図５（ｃ）に示すように、六角ナット２３の平行な側面２３１をガイド溝２７の平行側壁部２７３に沿ってナット収容穴２４の方向へ挿入する。このとき、ガイド溝２７の平行側壁部２７３がナット収容穴２４の正六角形の平行な二辺の延長線ｘよりも若干広く形成されるとともに、ガイド溝２７を形成する両平行側壁部２７３の高さがナット収容穴２４を形成する周壁部の高さ、すなわち鍔部１１４の高さと同じに形成されている。このため、六角ナット２３をナット収容穴２４に向けて速やかに挿入できると同時に、六角ナット２３がナット収容穴２４から外れ難い。
【００２８】
その後、図５（ｄ）に示すように、六角ナット２３をガイド溝２７の平行側壁部２７３に沿って挿入を続けることにより、六角ナット２３をナット収容穴２４に落として係合させる。このとき、ガイド溝２７の平行側壁部２７３は正六角形の平行な二辺の延長線ｘに沿って形成されていることから、六角ナット２３をガイド溝２７の平行側壁部２７３に沿って最も奥まで挿入するだけで、六角ナット２３をナット収容穴２４に収容することができる。
【００２９】
以上の実施形態によって発揮される効果について、以下にまとめて記載する。
（１）この実施形態における雌ねじ部材の案内構造では、取付体としての水栓用ボックス１１には雌ねじ部材としての六角ナット２３をナット収容穴２４に案内するガイド溝２７を形成した。このため、六角ナット２３をナット収容穴２４に収容する場合には、六角ナット２３をガイド溝２７に係止し、ガイド溝２７に案内されながらナット収容穴２４に向けて挿入することにより、六角ナット２３をナット収容穴２４に速やかに収容することができる。
【００３０】
従って、この実施形態によれば、六角ナット２３を案内するガイド溝２７を設けるという簡単な構成で、ナット収容穴２４に六角ナット２３を容易に収容することができるという効果を奏する。
【００３１】
（２）前記ガイド溝２７は、その両側壁部２７２の平行側壁部２７３がナット収容穴２４の正六角形の平行な二辺の延長線ｘに沿って形成され、六角ナット２３をナット収容穴２４に案内するように構成されている。そのため、六角ナット２３をガイド溝２７に沿って案内することにより、六角ナット２３をそのままナット収容穴２４へと収容することができる。
【００３２】
（３）前記水栓用ボックス１１のナット収容穴２４の一部の近傍には水栓用ボックス１１の壁体１１５が立設されている。このため、六角ナット２３を指２８で把持し、直接ナット収容穴２４に収容しようとすると、指２８が水栓用ボックス１１の壁体１１５に触れるが、本実施形態では六角ナット２３を案内するガイド溝２７が設けられている。従って、六角ナット２３をそのガイド溝２７に沿って案内することにより、六角ナット２３を支障なくナット収容穴２４に収容することができる。
【００３３】
（４）前記ガイド溝２７は、その両側壁部２７２がナット収容穴２４からナット収容穴２４の正六角形の平行な二辺の延長線ｘに沿って延びる平行側壁部２７３と、その平行側壁部２７３から拡幅して延びる拡幅側壁部２７４とにより構成されている。従って、六角ナット２３をガイド溝２７に沿って挿入するとき、六角ナット２３を最初にガイド溝２７の拡幅側壁部２７４から容易に挿入し始めることができ、引き続いて平行側壁部２７３に沿って円滑に挿入することができる。
【００３４】
（５）前記ガイド溝２７の拡幅側壁部２７４は平面円弧状に形成されている。そのため、六角ナット２３をガイド溝２７に挿入するとき、拡幅側壁部２７４の円弧に沿って一層円滑に挿入することができる。
【００３５】
（６）前記ガイド溝２７の両側壁部２７２間の幅Ｄがナット収容穴２４の延長線ｘ間の幅ｄよりも広く設定されるとともに、ガイド溝２７を形成する両側壁部２７２の高さはナット収容穴２４を形成する周壁部の鍔部１１４の高さと同じに形成されている。このため、六角ナット２３をガイド溝２７に挿入する場合に挿入しやすく、さらに六角ナット２３がナット収容穴２４に到ったとき六角ナット２３がナット収容穴２４から外れることを抑制することができる。
【００３６】
なお、前記実施形態を、次のように変更して具体化することも可能である。
・図６に示すように、水栓用ボックス１１の鍔部１１４の周囲に、ガイド溝２７の延出方向に沿って延びる延長底壁部３２１及び延長側壁部３２２を有する補助組付台３２を配置してもよい。このように構成した場合、六角ナット２３をガイド溝２７に挿入する操作を一層容易に行うことができる。
【００３７】
・図７（ａ）に示すように、ガイド溝２７の両側壁部２７２を、ナット収容穴２４から遠くなるに従って拡幅するテーパ状の側壁部２７２としてもよい。また、図７（ｂ）に示すように、ガイド溝２７の両側壁部２７２を、ナット収容穴２４から遠くなるに従って次第に幅広くなる平面円弧状の側壁部２７２としてもよい。
【００３８】
・図８（ａ）に示すように、ガイド溝２７の拡幅側壁部２７４の高さを、ナット収容穴２４から遠くなるほど高くなる傾斜拡幅側壁部２７５としてもよい。この場合には、六角ナット２３をガイド溝２７に最初に挿入する操作を容易に行うことができる。また、図８（ｂ）に示すように、ガイド溝２７の拡幅側壁部２７４の高さを、平行側壁部２７３の高さより高くなる段差拡幅側壁部２７６としてもよい。この場合にも、六角ナット２３をガイド溝２７に最初に挿入する操作を容易に行うことができる。
【００３９】
・前記実施形態において、ガイド溝２７を、拡幅側壁部２７４を設けることなく、平行側壁部２７３のみで構成してもよい。
・前記実施形態において、ガイド溝２７を水栓用ボックス１１の鍔部１１４の外端部に到るまで形成することなく、鍔部１１４の途中で止めてもよい。或いは、ガイド溝２７をナット収容穴２４の延長線ｘの一部に形成してもよい。
【００４０】
・前記ガイド溝２７の底壁部２７１を、ナット収容穴２４側が低く、外端側が高くなるように傾斜させて構成してもよい。
・前記多角ナットとして、偶数の辺を有する正四角ナット、正八角ナット、正十角ナット等を使用してもよい。
【００４１】
（付記）
上記実施形態から把握できる技術的思想について記載する。
（１）取付体に設けられた多角柱状の雌ねじ部材収容穴に雌ねじ部材を保持し、被取付体を雄ねじ部材により前記取付体の雌ねじ部材に螺合して被取付体を取付体に取付けるように構成するとともに、前記取付体には雌ねじ部材を雌ねじ部材収容穴に案内するガイド溝を形成し、前記取付体は有底筒状の水栓用ボックスであるとともに、被取付体は水栓用ボックスに取付けられる枠状のカバー体であり、水栓用ボックスに設けられるガイド溝は、雌ねじ部材としての多角ナットを雌ねじ部材収容穴としてのナット収容穴に案内するように構成されており、前記水栓用ボックスは有底四角筒状に形成され、ナット収容穴はその隅に設けられるとともに、カバー体は四角枠状に形成され、前記ガイド溝は前記ナット収容穴から前記隅のコーナ部に向かって延びている雌ねじ部材の案内構造。
【００４２】
（２）前記ガイド溝は、その両側壁部がナット収容穴からナット収容穴の多角形の平行な二辺の延長線に沿って延びる平行側壁部と、その平行側壁部から拡幅して延びる拡幅側壁部とにより構成されている技術的思想（１）に記載の雌ねじ部材の案内構造。
【符号の説明】
【００４３】
１１…取付体としての水栓用ボックス、１１４…周壁部としての鍔部、１１５…壁体、２２…被取付体としてのカバー体、２３…雌ねじ部材としての六角ナット、２４…雌ねじ部材収容穴としてのナット収容穴、２５…挿通孔、２６…雄ねじ部材としての取付ボルト、２７…ガイド溝、２７２…側壁部、２７３…平行側壁部、２７４…拡幅側壁部、Ｄ…側壁部間の幅、ｄ…延長線間の幅、ｘ…延長線。
【図１】
2019007621.tif 000003
【図２】
2019007621.tif 000004
【図３】
2019007621.tif 000005
【図４】
2019007621.tif 000006
【図５】
2019007621.tif 000007
【図６】
2019007621.tif 000008
【図７】
2019007621.tif 000009
【図８】
2019007621.tif 000010